【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
シアン、マゼンタ、イエロー、およびブラックの色素、および少なくとも１つの他の色素を含む色素セットと、角度をつけた網点スクリーンを用いて画像をカラー印刷する方法であって、
他の色素の少なくとも１つが、シアンとマゼンタの色相角度の中間の色相角度を有する色素であるように、少なくとも１つの他の色素を選択する工程、
色素セットにおけるそれぞれの色素にスクリーン角度を割り当てる工程、
画像の色分離に応答して、色素セットのそれぞれの色素に角度をつけた網点スクリーンを提供する工程、および
角度をつけた網点スクリーンを用いて、画像のカラー印刷を生成する工程
を具備し、
前記色素セットにおける色素の数は奇数であり、色素セットにおける色素のそれぞれにスクリーン角度を割り当てることは、ブラックに第１のスクリーン角度を割り当て、非ブラック色素の半分に第２のスクリーン角度を、非ブラック色素の半分に第３のスクリーン角度を割り当てることであり、前記第１、第２及び第３のスクリーン角度は異なっており、隣接する色相角を有する非ブラック色素は、異なるスクリーン角度を割り当てられる、画像をカラー印刷する方法。
【請求項２】
シアン、マゼンタ、イエロー、およびブラックの色素、および少なくとも１つの他の色素を含む色素セットと、角度をつけた網点スクリーンを用いて画像をカラー印刷する方法であって、
他の色素の少なくとも１つが、シアンとマゼンタの色相角度の中間の色相角度を有する色素であるように、少なくとも１つの他の色素を選択する工程、
色素セットにおけるそれぞれの色素にスクリーン角度を割り当てる工程、
画像の色分離に応答して、色素セットのそれぞれの色素に角度をつけた網点スクリーンを提供する工程、および
角度をつけた網点スクリーンを用いて、画像のカラー印刷を生成する工程
を具備し、
前記色素セットにおける色素の数は偶数であり、色素セットにおける色素のそれぞれにスクリーン角度を割り当てることは、ブラックに第１のスクリーン角度を割り当て、ブラックでもイエローでもない色素の半分に第２のスクリーン角度を、ブラックでもイエローでもない色素の半分に第３のスクリーン角度を割り当てることであり、イエローには第４のスクリーン角度が割り当てられ、前記第１、第２、第３及び第４のスクリーン角度は異なっており、隣接する色相角を有する非ブラック色素は、異なるスクリーン角度を割り当てられる、画像をカラー印刷する方法。
【請求項３】
少なくとも１つの他の色素を選択する工程は、２つの色素を選択することである請求項２に記載の方法。
【請求項４】
前記第４のスクリーン角度と第１のスクリーン角度との相違は、４５°である請求項２または３に記載の方法。
【請求項５】
前記第１のスクリーン角度と第２および第３のいずれかのスクリーン角度との間の角度は、実質的に３０°であり、第２のスクリーン角度と第３のスクリーン角度との間の角度は、３０°である請求項１〜４のいずれかの項に記載の方法。
【請求項６】
前記第１のスクリーン角度は４５°であり、第２および第３のうちの１つのスクリーン角度は、１５°であり、第２および第３のうちの他のスクリーン角度は、７５°である請求項５に記載の方法。
【請求項７】
他の色素の少なくとも１つが、シアンとマゼンタの色相角度の中間の色相角度を有する色素であるように、少なくとも１つの他の色素を選択する工程は、シアン、マゼンタ、イエロー、およびブラックの色素によって提供される色相の範囲の実質的に外にある色素を選択することである請求項１〜６のいずれかの項に記載の方法。
【請求項８】
他の色素の少なくとも１つが、シアンとマゼンタの色相角度の中間の色相角度を有する色素であるように、少なくとも１つの他の色素を選択する工程は、バイオレットを選択することである請求項１〜７のいずれかの項に記載の方法。
【請求項９】
シアン、マゼンタ、イエロー、およびブラックの色素、および少なくとも１つの他の色素を含む色素セットと、角度をつけた網点スクリーンを用いて画像をカラー印刷する方法であって、
他の色素の少なくとも１つが、シアンとマゼンタの色相角度の中間の色相角度を有する色素であるように、少なくとも１つの他の色素を選択する工程、
色素セットにおけるそれぞれの色素にスクリーン角度を割り当てる工程、
画像の色分離に応答して、色素セットのそれぞれの色素に角度をつけた網点スクリーンを提供する工程、および
角度をつけた網点スクリーンを用いて、画像のカラー印刷を生成する工程
を具備し、
他の色素の少なくとも１つが、シアンとマゼンタの色相角度の中間の色相角度を有する色素であるように、少なくとも１つの他の色素を選択する工程は、シアン、マゼンタ、およびブラックの色素によって提供される色相の範囲の実質的に外にある色素を選択することである、画像をカラー印刷する方法。
【請求項１０】
シアン、マゼンタ、イエロー、およびブラックの色素、および少なくとも１つの他の色素を含む色素セットと、角度をつけた網点スクリーンを用いて画像をカラー印刷する方法であって、
他の色素の少なくとも１つが、シアンとマゼンタの色相角度の中間の色相角度を有する色素であるように、少なくとも１つの他の色素を選択する工程、
色素セットにおけるそれぞれの色素にスクリーン角度を割り当てる工程、
画像の色分離に応答して、色素セットのそれぞれの色素に角度をつけた網点スクリーンを提供する工程、および
角度をつけた網点スクリーンを用いて、画像のカラー印刷を生成する工程
を具備し、
他の色素の少なくとも１つが、シアンとマゼンタの色相角度の中間の色相角度を有する色素であるように、少なくとも１つの他の色素を選択する工程は、バイオレットを選択することを含む、画像をカラー印刷する方法。
【請求項１１】
少なくとも１つの他の色素を選択する工程は、少なくとも２つの他の色素を選択することを含み、少なくとも２つの他の色素の１つは、オレンジである請求項１〜１０のいずれかの項に記載の方法。
【請求項１２】
シアンおよびマゼンタは、同じスクリーン角度を有する請求項１〜１１のいずれかの項に記載の方法。
【請求項１３】
請求項１〜１２のいずれかに記載の方法により清々された画像のカラー印刷。
【請求項１４】
シアン、マゼンタ、イエロー、およびブラックの色素を含む少なくとも５つの色素と、
シアンとマゼンタの色相角度の中間の色相角度を有する少なくとも１つの色素と
を含み、
シアンとマゼンタの色相角度の中間の色相角度を有する少なくとも１つの色素は、シアン、マゼンタ、イエロー、およびブラックの色素によって提供される色相の範囲の実質的に外にある、角度をつけた網点スクリーンでカラー印刷するための色素セット。
【請求項１５】
シアン、マゼンタ、イエロー、およびブラックの色素を含む少なくとも５つの色素と、
シアンとマゼンタの色相角度の中間の色相角度を有する少なくとも１つの色素と
を含み、
少なくとも５つの色素の数は奇数であり、ブラック色素は第１のスクリーン角度を有し、非ブラック色素の2分の１は第２のスクリーン角度を有し、非ブラック色素の2分の１は第３のスクリーン角度を有し、第１、第２、および第３のスクリーン角度は異なっており、隣接する色相角度を有する非ブラック色素は、異なるスクリーン角度を有している色素セット。
【請求項１６】
シアン、マゼンタ、イエロー、およびブラックの色素を含む少なくとも５つの色素と、
シアンとマゼンタの色相角度の中間の色相角度を有する少なくとも１つの色素と
を含み、
少なくとも５つの色素の数は偶数であり、ブラック色素は第１のスクリーン角度を有し、ブラックでもイエローでもない色素の2分の１は第２のスクリーン角度を有し、ブラックでもイエローでもない色素の2分の１は第３のスクリーン角度を有し、イエローは、第４のスクリーン角度を有し、第１、第２、第３、および第４のスクリーン角度は異なっており、隣接する色相角度を有する非ブラック色素は、異なるスクリーン角度を有している色素セット。
【請求項１７】
少なくとも５つの色素の数は６である請求項１６に記載の色素セット。
【請求項１８】
前記第４のスクリーン角度と第１のスクリーン角度との相違は、４５°である請求項１６または１７に記載の色素セット。
【請求項１９】
シアンとマゼンタの色相角度の中間の色相角度を有する少なくとも１つの色素は、シアン、マゼンタ、イエロー、およびブラックの色素によって提供される色相の範囲の実質的に外にある請求項１６〜１８のいずれかの項に記載の色素セット。
【請求項２０】
前記第１のスクリーン角度と第２および第３のいずれかのスクリーン角度との間の角度は、実質的に３０°であり、第２のスクリーン角度と第３のスクリーン角度との間の角度は、実質的に３０°である請求項１５〜１９のいずれかの項に記載の色素セット。
【請求項２１】
前記第１のスクリーン角度は４５°であり、第２および第３のうちの１つのスクリーン角度は、１５°であり、第２および第３の他のスクリーン角度は、７５°である請求項２０に記載の色素セット。
【請求項２２】
シアンとマゼンタの色相角度の中間の色相角度を有する少なくとも１つの色素は、１つの色素を含む請求項１４〜２１のいずれかの項に記載の色素セット。
【請求項２３】
シアンとマゼンタの色相角度の中間の色相角度を有する少なくとも１つの色素の少なくとも１つは、バイオレットである請求項１４〜２２のいずれかの項に記載の色素セット。
【請求項２４】
シアンとマゼンタの色相角度の中間の色相角度を有する少なくとも１つの色素の少なくとも１つは、パープルである請求項１４〜２２のいずれかの項に記載の色素セット。
【請求項２５】
色素の１つはオレンジである少なくとも６つの色素を含む請求項１４〜２４のいずれかの項に記載の色素セット。
【請求項２６】。
シアンとマゼンタは、同じスクリーン角度を有する請求項１４〜２５のいずれかの項に記載の色素セット。
【請求項２７】。
シアン、マゼンタ、イエロー、およびブラックの色素、および少なくとも１つの他の色素を含む色素セットと、角度をつけた網点スクリーンを用いて画像をカラー印刷する方法であって、
他の色素の少なくとも１つが、シアンとマゼンタの色相角度の中間の色相角度を有する色素であるように、少なくとも１つの他の色素を選択する工程、
色素セットにおけるそれぞれの色素にスクリーン角度を割り当てる工程、
画像の色分離に応答して、色素セットのそれぞれの色素に角度をつけた網点スクリーンを提供する工程、および
角度をつけた網点スクリーンを用いて、画像のカラー印刷を生成する工程
を具備し、
シアンとマゼンタは、同じスクリーン角度を有する、画像をカラー印刷する方法。